(57)【要約】【課題】高画質かつ低消費電力のプロジェクタを得る。【解決手段】カラーホイールの回転に応じて、左から青、赤、緑、白色の色セグメント１０１〜１０４が推移する。この際、ランプの発光強度が白色セグメントにおいては他のセグメントと比べて高くなるべく制御される（ｂ）。Ｄは緑色（１０３）から白色（１０４）へ移行する、あるいは白色（１０４）から青色（１０１）に移行する遷移期間である。ランプパルスを生成するＤＣ−ＤＣコンバータのスイッチング周波数は遷移期間でＦｂ、それ以外ではＦａ（Ｆｂ＞Ｆａ）とされる（ｃ）。すなわち、スイッチング周波数がカラーホイールの回転に同期して制御される。光源の駆動電流は、光源の発光強度を（ｂ）の通りにするべく、白色セグメントが選択された際に高くなるように制御される（ｄ）。【選択図】図１
2009031333.tif 000002
【特許請求の範囲】
【請求項１】
１周期の間に複数の色セグメントを順次選択し、光源から照射された光を透過させることにより前記色セグメントに対応した色の画像信号を順次生成し、前記複数の色セグメントのうちの少なくとも一つの色セグメントが選択される際に、前記光源の発光強度を他の色セグメントが選択された場合と異なる設定とするプロジェクタの駆動方法であって、
ＤＣ−ＤＣコンバータで生成された直流電圧で前記光源を駆動し、
前記発光強度の異なる色セグメント間の移行期間である遷移期間における前記ＤＣ−ＤＣコンバータのスイッチング周波数を、前記遷移期間以外の期間よりも高く設定し、
前記遷移期間以外の期間に照射された光を用いて前記画像信号を作成することを特徴とするプロジェクタの駆動方法。
【請求項２】
同一の色セグメントが選択されており、かつ前記遷移期間以外である期間における前記光源の発光強度を略一定に制御することを特徴とする請求項１に記載のプロジェクタの駆動方法。
【請求項３】
前記複数の色セグメントは、回転する円板の円周方向に配された複数のカラーフィルタを前記光源から照射された光が順次透過することにより生成されることを特徴とする請求項１または２に記載のプロジェクタの駆動方法。
【請求項４】
前記円板の回転角度を検出し、該回転角度に基づき前記スイッチング周波数及び前記光源の発光強度を制御することを特徴とする請求項３に記載のプロジェクタの駆動方法。
【請求項５】
前記複数の種類の色セグメントは、青、赤、緑、及び白の４色に対応する色セグメントを含むことを特徴とする請求項１から請求項４までのいずれか１項に記載のプロジェクタの駆動方法。
【請求項６】
前記白色に対応する色セグメントが選択される際に、前記光源の発光強度を他の色セグメントが選択される場合よりも高くすることを特徴とする請求項５に記載のプロジェクタの駆動方法。
【請求項７】
光源と、前記光源から照射された光を複数の色セグメントに順次切り替えて出力する色セグメント切替手段と、前記色セグメント毎に画像信号を生成して出力する画像信号作成手段とを具備し、前記複数の色セグメントのうちの少なくとも一つの色セグメントが選択される際に、前記光源の発光強度を他の色セグメントが選択された場合と異なる設定とするプロジェクタであって、
前記色セグメント切替手段における１周期中の位相を検出する位相検出手段と、
前記位相に基づいて前記発光強度を制御し、かつＤＣ−ＤＣコンバータのスイッチング周波数を制御する制御手段と、
を具備することを特徴とするプロジェクタ。
【請求項８】
前記制御手段は、前記位相が前記発光強度の異なる色セグメント間の移行期間である遷移期間にある場合に、前記スイッチング周波数を前記遷移期間外にある場合よりも高く設定することを特徴とする請求項７に記載のプロジェクタ。
【請求項９】
前記画像信号作成手段は、前記位相が前記遷移期間にある場合には画像信号を作成しないことを特徴とする請求項８に記載のプロジェクタ。
【請求項１０】
前記制御手段は、同一の色セグメントが選択されており、かつ前記遷移期間以外である期間における前記光源の発光強度を略一定に制御することを特徴とする請求項８または９に記載のプロジェクタ。
【請求項１１】
前記色セグメント切替手段は、回転する円板の円周方向に配された複数のカラーフィルタに前記光源から照射された光を順次透過させることにより前記複数の色セグメントを生成することを特徴とする請求項７から請求項１０までのいずれか１項に記載のプロジェクタ。
【請求項１２】
前記位相検出手段は、前記円板の回転角度を検出することにより位相を検出することを特徴とする請求項１１に記載のプロジェクタ。
【請求項１３】
前記複数の種類の色セグメントは、青、赤、緑、及び白の４色に対応する色セグメントを含むことを特徴とする請求項７から請求項１２までのいずれか１項に記載のプロジェクタ。
【請求項１４】
前記制御手段は、前記白色に対応する色セグメントが選択される際には、前記光源の発光強度を他の色セグメントが選択される場合よりも高くすることを特徴とする請求項１３に記載のプロジェクタ。
【発明の詳細な説明】
【技術分野】
【０００１】
本発明は、複数の色に対応する画像信号を時系列的に順次投影してカラー画像を生成するプロジェクタの駆動方法、及びこの駆動方法により動作するプロジェクタに関する。
【背景技術】
【０００２】
カラー画像を投影するプロジェクタ、特に液晶プロジェクタにおいては、ＲＧＢ等に対応した各色の光が変調された画像信号が時系列的に切り替えられて出力される。この画像信号は各色毎に作成され、１８０Ｈｚ程度の速い周期で切り替えられて出力（投影）されることにより、利用者によってカラー画像と認識される。一方、プロジェクタの光源としては一般に連続スペクトルを持った単一の水銀ランプが用いられる。従って、これらの画像信号を作成するにあたっては、水銀ランプから発した光を、例えば赤、緑、青及び白色の４色に対応するカラーフィルタ（色セグメント）が配されたカラーホイールを用いる。このカラーホイールが回転することにより各色セグメントが順次選択される。これにより、これらの各色セグメントに対応した光が形成され、これらの光が各々変調されて各色の画像信号が作成される。この画像信号が短時間に時系列的に順次切り替えられて出力され、投影されてカラー画像が形成される。
【０００３】
このカラーホイールの構成を示す概略図が図４である。ここで、このカラーホイール９０は、青色フィルター９１、赤色フィルター９２、緑色フィルター９３、及び白色フィルター９４で構成され、これらにより各色に対応する色セグメントが生成される。このカラーホイール９０がその中心を回転軸として回転することにより、各領域９１〜９４を透過した光は、順次これらの各色の光となる。ここで、最適なカラー画像を得るためには、これら４色におけるカラー画像信号における光強度は一定がよいとは限らず、異なる場合がよい場合が多い。例えば、一般には、青、赤、緑色セグメントの期間における光強度は同一かつ一定とし、白色セグメントの期間における光強度はこれよりも大きくした場合の方が良好なカラー画像が得られることが知られている（特許文献１）。このため、水銀ランプの発光強度をこのカラーホイール９０の回転に同期させ、光が白色領域９４を透過する際（白色セグメントの期間）にのみ水銀ランプの発光強度を高めることが行われている。
【０００４】
このため、特許文献１には、水銀ランプに印加する直流電圧に、カラーホイールの回転に同期したパルスを重畳させる技術が記載されている。このパルスは、例えば１ｍｓｅｃ〜２ｍｓｅｃ幅、周波数は１８０Ｈｚであり、白色領域９４に同期している。水銀ランプの駆動電流は通常３Ａ程度であるが、このパルス印加により、白色セグメントが選択された際には他のセグメントの１．２〜１．５倍程度の駆動電流となり、これに応じてその発光強度は大きくなる。図５はこの動作を模式的に示した図であり、横軸を時間として、色セグメントの推移（ａ）、水銀ランプ強度（ｂ）が示されている。ここで、色セグメントは、図中左側から青色（１０１）、赤色（１０２）、緑色（１０３）、白色（１０４）の順に周期的に推移している。白色セグメント（１０４）ではパルスが重畳されるため、水銀ランプの強度が大きくなる。このパルスは通常ＰＷＭ（Ｐｕｌｓｅ  Ｗｉｄｔｈ  Ｍｏｄｕｌａｔｉｏｎ）制御によりＤＣ−ＤＣコンバータで生成される。カラーホイールを透過した光は、その後にロッドレンズを介して変調部に入力し、信号に応じて変調されて出力される。
【０００５】
一方、良好なカラー画像を得るためには、各色セグメントが保持されている状態では、水銀ランプの発光強度は一定であることが必要である。しかしながら、パルスには立ち上がり時間と立ち下がり時間が存在し、この間はその電圧（電流）は連続的に変化する。一方、各色セグメントの切替時には、図５（ｂ）におけるＤで示される遷移期間が存在する。この遷移期間内では、隣接した２色の光が同時に単一のロッドレンズ９５に入射し、この遷移期間は、図４に模式的に示されるように、ロッドレンズ９５の大きさで決まる。これに対応する角度は図４に示すカラーホイールの回転角度として１２°程度となる。この遷移期間内では、各色毎の画像信号を生成することはできない。従って、この期間内の光は、後段のＤＭＤ（デジタルマイクロミラー）側で遮断され、画像信号の生成には利用されない。前記のパルスにおいては、図５（ｂ）に示すように、その立ち上がり時間、立ち下がり時間が存在するが、これらの時間をこの遷移期間内に収めることにより、各色のセグメント内での水銀ランプ強度を一定とすることができる。これにより、良好なカラー画像を得ることができた。
【０００６】
【特許文献１】特開２００４−２１２８９０号公報
【発明の開示】
【発明が解決しようとする課題】
【０００７】
しかしながら、プロジェクタの解像度や時間分解能を高めるためには小さなロッドレンズを用いる必要があり、図４より、この場合には遷移期間は短くなる。従って、これに対応してパルスの立ち上がり時間、立ち下がり時間を短くする必要があり、例えばこれらの時間としては２００μｓ程度の短い時間が要求されることもある。また、この際に制御される駆動電流は３Ａ程度である。こうした短い立ち上がり時間、立ち下がり時間でこうした大電流を制御することは困難である。また、短い立ち上がり時間、立ち下がり時間を実現した場合でも、図５（ｃ）に示されるように、オーバーシュート、アンダーシュートが発生することがある。オーバーシュートやアンダーシュートが発生した期間も実質的には画像信号を生成するためには使用できない。すなわち、小さなロッドレンズを用いた場合には図５（ｂ）の特性を実現することは困難であった。
【０００８】
ＤＣ−ＤＣコンバータにおいて、ＰＷＭ制御のスイッチング周波数を速くすれば、立ち上がり時間、立ち下がり時間の制御をより精密に行うことができ、短い遷移期間においても図５（ｂ）に示す特性を実現できる。ところが、スイッチング周波数が速くなると、ＤＣ−ＤＣコンバータの消費電力の増加と共に、スイッチングロスが増加するために発熱が大きくなる。また、水銀ランプの形状によっては、共鳴によってランプフリッカー、すなわち、ランプからの光のちらつきが発生することもあった。
【０００９】
従って、低消費電力化や、発熱を抑えつつ高画質化を図ることは困難であった。
【００１０】
本発明は、斯かる問題点に鑑みてなされたものであり、上記問題点を解決する発明を提供することを目的とする。
【課題を解決するための手段】
【００１１】
本発明は、上記課題を解決すべく、以下に掲げる構成とした。
本発明のプロジェクタの駆動方法は、１周期の間に複数の色セグメントを順次選択し、光源から照射された光を透過させることにより前記色セグメントに対応した色の画像信号を順次生成し、前記複数の色セグメントのうちの少なくとも一つの色セグメントが選択される際に、前記光源の発光強度を他の色セグメントが選択された場合と異なる設定とするプロジェクタの駆動方法であって、ＤＣ−ＤＣコンバータで生成された直流電圧で前記光源を駆動し、前記発光強度の異なる色セグメント間の移行期間である遷移期間における前記ＤＣ−ＤＣコンバータのスイッチング周波数を、前記遷移期間以外の期間よりも高く設定し、前記遷移期間以外の期間に照射された光を用いて前記画像信号を作成することを特徴とする。
本発明のプロジェクタの駆動方法において、同一の色セグメントが選択されており、かつ前記遷移期間以外である期間における前記光源の発光強度を略一定とすべく制御することを特徴とする。
本発明のプロジェクタの駆動方法において、前記複数の色セグメントは、回転する円板の円周方向に配された複数のカラーフィルタを前記光源から照射された光が順次透過することにより生成されることを特徴とする。
本発明のプロジェクタの駆動方法は、前記円板の回転角度を検出し、該回転角度に基づき前記スイッチング周波数及び前記光源の発光強度を制御することを特徴とする。
本発明のプロジェクタの駆動方法において、前記複数の種類の色セグメントは、青、赤、緑、及び白の４色に対応する色セグメントを含むことを特徴とする。
本発明のプロジェクタの駆動方法において、前記白色に対応する色セグメントが選択される際に、前記光源の発光強度を他の色セグメントが選択される場合よりも高くすることを特徴とする。
本発明のプロジェクタは、光源と、前記光源から照射された光を複数の色セグメントに順次切り替えて出力する色セグメント切替手段と、前記色セグメント毎に画像信号を生成して出力する画像信号作成手段とを具備し、前記複数の色セグメントのうちの少なくとも一つの色セグメントが選択される際に、前記光源の発光強度を他の色セグメントが選択された場合と異なる設定とするプロジェクタであって、前記色セグメント切替手段における１周期中の位相を検出する位相検出手段と、前記位相に基づいて前記発光強度を制御し、かつＤＣ−ＤＣコンバータのスイッチング周波数を制御する制御手段と、を具備することを特徴とする。
本発明のプロジェクタにおいて、前記制御手段は、前記位相が前記発光強度の異なる色セグメント間の移行期間である遷移期間にある場合に、前記スイッチング周波数を前記遷移期間外にある場合よりも高く設定することを特徴とする。
本発明のプロジェクタにおいて、前記画像信号作成手段は、前記位相が前記遷移期間にある場合には画像信号を作成しないことを特徴とする。
本発明のプロジェクタにおいて、前記制御手段は、同一の色セグメントが選択されており、かつ前記遷移期間以外である期間における前記光源の発光強度を略一定とすべく制御することを特徴とする。
本発明のプロジェクタにおいて、前記色セグメント切替手段は、回転する円板の円周方向に配された複数のカラーフィルタに前記光源から照射された光を順次透過させることにより前記複数の色セグメントを生成することを特徴とする。
本発明のプロジェクタにおいて、前記位相検出手段は、前記円板の回転角度を検出することにより位相を検出することを特徴とする。
本発明のプロジェクタにおいて、前記複数の種類の色セグメントは、青、赤、緑、及び白の４色に対応する色セグメントを含むことを特徴とする。
本発明のプロジェクタにおいて、前記制御手段は、前記白色に対応する色セグメントが選択される際には、前記光源の発光強度を他の色セグメントが選択される場合よりも高くすることを特徴とする。
【発明の効果】
【００１２】
本発明は以上のように構成されているので、低消費電力となり、発熱を抑え高画質のプロジェクタを得ることができる。
【発明を実施するための最良の形態】
【００１３】
以下、本発明を実施するための最良の形態について説明する。
【００１４】
本発明の実施の形態に係るプロジェクタの駆動方法、及びこの駆動方法により動作するプロジェクタにおいては、１周期の間に複数の色セグメント（カラーフィルタ）が推移し、単一の光源（水銀ランプ）から照射された連続スペクトルの光から各色セグメントに対応する色の光が順次生成される。この色セグメントに対応する光が変調されて各色毎の画像信号が生成され、順次出力されて、利用者にとってカラー画像と認識される。この際、この複数の色セグメントのうちの少なくとも一つの色セグメントが選択される際には、光源の発光強度を他の色セグメントが選択された場合の発光強度よりも高くする。この際、この光源はＤＣ−ＤＣコンバータで生成された直流電圧で駆動される。そして、この発光強度の異なる色セグメント間の移行期間（遷移期間）におけるＤＣ−ＤＣコンバータのスイッチング周波数を、この期間以外でのスイッチング周波数よりも高く設定する。
【００１５】
ここで、発光強度が高く設定されるのは白色セグメントであることが好ましい。この白色セグメントにおいて、光源となる水銀ランプの駆動電圧に対して、ランプパルスが印加される。このランプパルスはＤＣ−ＤＣコンバータにおけるＰＷＭ（Ｐｕｌｓｅ  Ｗｉｄｔｈ  Ｍｏｄｕｌａｔｉｏｎ）制御によって作成され、その立ち上がりと立ち下がり時にはスイッチング周波数が高く設定される。このタイミングはカラーホイールの回転に同期して制御される。
【００１６】
図１は、本発明の実施の形態に係るプロジェクタの駆動方法における色セグメントの推移（ａ）と、これに応じた光源の発光強度（ｂ）、スイッチング周波数（ｃ）と、ランプ電流（ｄ）の変化を示す図である。カラーホイールの構成は図４に示され、このカラーホイール９０が反時計回りに回転することにより、光は青、赤、緑、白色の各色フィルター９１〜９４を順次透過する。これにより、図１（ａ）に示すように、カラーホイールの回転に応じて、左から青、赤、緑、白色の色セグメント１０１〜１０４が推移する。この際、ランプの発光強度が白色セグメントにおいては他のセグメントと比べて高くなるべく制御される（ｂ）。Ｄは緑色（１０３）から白色（１０４）へ移行する、あるいは白色（１０４）から青色（１０１）に移行する遷移期間である。遷移期間は、図４に示されるように、この光が後で入力するロッドレンズ９５の大きさによって決まり、予め設計値として算定される量である。具体的には、例えばカラーホイールの回転角度に換算して１２°程度となる。
【００１７】
この遷移期間内では、ロッドレンズには白色の光と緑色又は青色の光が混在した状態となるため、各色毎の画像信号を生成するために用いないことが好ましい。このため、この遷移期間内での光はロッドレンズ９５を通過した後で例えばＤＭＤ（デジタルマルチミラーデバイス）等によってＯＦＦすることが好ましい。
【００１８】
ここで、水銀ランプの駆動は例えば３８０Ｖ程度の直流電圧が用いられる。このため、この電圧を生成するためにはＤＣ−ＤＣコンバータが用いられる。このＤＣ−ＤＣコンバータは、ある決まったスイッチング周波数で動作する。ランプパルスを生成するＤＣ−ＤＣコンバータのスイッチング周波数は遷移期間でＦｂ、それ以外ではＦａ（Ｆｂ＞Ｆａ）とされる（ｃ）。すなわち、スイッチング周波数がカラーホイールの回転に同期して制御される。光源の駆動電流は、光源の発光強度を（ｂ）の通りにするべく、白色セグメントが選択された際に高くなるように制御される（ｄ）。ここで、遷移期間においてはこの電流は連続的に変化するように、ＤＣ−ＤＣコンバータによって制御される。この際のスイッチング周波数は、他の期間における周波数Ｆａよりも高いＦｂである。従って、この制御が容易であり、オーバーシュートやアンダーシュートが発生しにくい。従って、（ｄ）の特性を実現することが容易である。
【００１９】
一方、スイッチング周波数が高くなれば、ＤＣ−ＤＣコンバータの消費電力が高くなる。しかしながら、図１における立ち上がりと立ち下がりに対応した遷移期間は、前記の通り、回転角度換算で１２°程度であり、これは全体の６．７％程度に過ぎない。従って、ここでスイッチング周波数を高めることによって消費電力が増加する量は７．７％以下であり、実用上は無視できる。従って、このプロジェクタは、高画質かつ低消費電力となる。
【００２０】
このプロジェクタの構成を図２に示す。このプロジェクタ１においては、光源１１から発した連続スペクトルを持った光が色セグメント切替手段１２を透過する。色セグメント切替手段１２は青、赤、緑、白色のカラーフィルタが配された円板であり、図４に示す構成である。この円板が回転することにより、色セグメント切替手段１２を透過した後では円板の１周期の間に青、赤、緑、白色の光が順次作成され、画像信号作成手段１３に入力する。
【００２１】
画像信号作成手段１３は、青、赤、緑、白色毎に画像信号を作成し、出力する。ここでは、色セグメント切替手段１２を透過した光は、まずロッドレンズ１３１に入射する。ロッドレンズ１３１は、照度分布等を改善し、良好な結像特性を得るために挿入される。ロッドレンズ１３１を通過した光は、ＤＭＤ（デジタルマルチミラーデバイス）１３２に入射し、反射される。ＤＭＤ１３２は、光を画像を作成するための入力信号で変調して画像信号を作成する機能と、光のＯＮ・ＯＦＦを行う機能をもつ。この入力信号は、光学素子駆動装置１３３からＤＭＤ１３２に出力される。これにより、投射映像を得るための画像信号が１周期の間に各色毎に順次作成され、出力される。
【００２２】
ＤＭＤ１３２で反射され出力された光は投影レンズ１４を透過してスクリーン１５上に投影されて結像し、画像が形成される。ここで、青、赤、緑、白色毎の画像信号が例えば１８０Ｈｚ程度の周期内で順次出力されるため、この画像はカラー画像として認識される。
【００２３】
ここで、光源１１の発光強度を調整するため、この光源１１の駆動電圧はＤＣ−ＤＣコンバータ１６が制御手段１７により制御されて作成される。特にここではその出力電圧（駆動電圧）と、スイッチング周波数が制御され、図１（ｂ）（ｃ）に示す特性が実現される。
【００２４】
また、制御手段１７は、この制御をするにあたり、現在画像信号作成手段１３で作成している画像信号が、図１（ａ）におけるどの位置（セグメント）に該当するかを認識する必要がある。このため、位相検出手段１８は、色セグメント切替手段１２における円板の回転角度（位相）を検出し、このデータを制御手段１７に出力する。これにより、制御手段１７は上記の制御を適切に行うことができる。すなわち、色セグメントの切替に同期して、ＤＣ−ＤＣコンバータ１６の出力電圧及びスイッチング周波数を制御することができる。位相検出手段１８は、例えば、円板上に付されたマークを光学センサで検出する構成とすることができる。
【００２５】
また、制御手段１７は、光源１１における実際の印加電圧や駆動電流をモニターし、これらの値にも基づき、ＤＣ−ＤＣコンバータ１６の出力電圧を制御する。これによって、同一色セグメント内で、かつ遷移期間以外での発光強度を略一定とすべく制御することができる。
【００２６】
次に、実際に以上の制御を行うためのバラスト回路の例について説明する。このバラスト回路３０は上記の各構成要素が結合して構成され、その構成を図３に示す。このバラスト回路３０においては、光源１１への電力供給源となるバラスト入力電源３１で発生する３８０Ｖ程度の直流電圧がＤＣ−ＤＣコンバータ１６によりランプ電力が一定となるように変換される。この電圧とスイッチング周波数は制御手段１７により制御される。この制御手段１７へは、光源１１に実際に印加された電圧と実際に流れた電流が入力する。
【００２７】
実際に光源１１に印加された電圧ＶＬは制御手段１７におけるランプ電圧検出回路１７１で検出され、ＡＤコンバータ１７２でデジタル値に変換され、定電力制御信号計算回路１７３に入力する。定電力制御信号計算回路１７３は、この電圧ＶＬから、この光源１１の電力（出力）が所定の値となるべき駆動電流Ｉｒｅｆを算出し、これをＤＡコンバータ１７４に出力する。Ｉｒｅｆは、白色セグメントが選択される場合以外の電流（定電力ランプ電流基準信号）となる。ＤＡコンバータ１５３は、この電流Ｉｒｅｆをランプパルス発生回路１７５に出力する。
【００２８】
メインマイコン１７６は、ランプパルス発生回路１７５を制御して、出力電流ＩＬＳを２種類のレベルＩ１、Ｉ２（Ｉ２＞Ｉ１）の間に設定する。ここで、Ｉ１は前記のＩｒｅｆと等しく、白色セグメント以外で、かつ遷移期間以外の場合に適用される。Ｉ２はＩｒｅｆの１．２〜１．５倍程度に値に設定され、白色セグメントが選択され、かつ遷移期間以外である場合に設定される。遷移期間においては、出力電流はこれらの間の値に連続的に設定される。すなわち、図１（ｄ）に示される通りにその電流を制御する。
【００２９】
一方、色セグメント切替手段１２において、カラーホイール１２１はモータによって１０８００ｒｐｍ程度で回転しており、その回転がカラーホイール回転検出センサ１２２によって検出される。カラーホイール回転検出センサ１２２からの出力は制御手段１７におけるメインマイコン１７６に入力し、これによって、メインマイコン１７６は、カラーホイール１２１における現在の位相（回転角度）を認識することができる。すなわち、これにより、メインマイコン１７６は現在のセグメント、及び遷移期間にあるか否かを認識する。
【００３０】
メインマイコン１７６は、現在の位相が遷移期間以外にある場合にはスイッチング周波数をＦａとする信号を、遷移期間にある場合にはこれをＦｂとする信号をＤＣ−ＤＣコンバータ制御回路１７７に出力する。これにより、ＤＣ−ＤＣコンバータ制御回路１７７は、このスイッチング周波数のパルスを生成し、ＤＣ−ＤＣコンバータ１６を駆動する。
【００３１】
また、メインマイコン１７６は、前記の通り、現在の位相に応じて出力電流が図１（ｄ）の特性となるべくランプパルス発生装置１７５を制御する。
【００３２】
光源１１に実際に流れた電流はＩＬは、ランプ電流検出抵抗１７８の電圧として検出され、アンプ回路１７９により増幅され、コンパレータ１８０に出力される。
【００３３】
コンパレータ１８０は、このＩＬとＩＬＳとを比較し、その結果をＤＣ−ＤＣコンバータ制御回路１７７に出力する。
【００３４】
ＤＣ−ＤＣコンバータ制御回路１７７は、この比較結果より、実際のランプ電流ＩＬが設定電流ＩＬＳよりも大きい場合には、ランプ電流が小さくなる方向にＤＣ−ＤＣコンバータ１６を制御する。逆にＩＬがＩＬＳよりも小さな場合はランプ電流が大きくなる方向にＤＣ−ＤＣコンバータ１６を制御する。すなわち、これにより、水銀ランプの発光強度が安定して図１（ｂ）の特性となるべく制御される。
【００３５】
また、メインマイコン１７６は、カラーホイールの回転角度が現在遷移期間にある場合には、ＤＭＤ１３２により、この期間内においてはロッドレンズ１３１からの光をＯＦＦすることもできる。この場合、この遷移期間内での光は画像信号の作成には用いられることがない。
【００３６】
ここで、遷移期間以外では、ＤＣ−ＤＣコンバータ１６におけるスイッチング周波数は、メインマイコン１７６（制御手段１７）によってＦａとされる。Ｆａは例えば電源リップルが問題にならない程度の低周波数とすることができ、例えば７０ｋＨｚとすることができる。ＤＣ−ＤＣコンバータ１６は、前記の通り３８０Ｖ程度の高電圧を発生するが、スイッチング周波数を低周波とすることにより、その消費電力を小さくすることができる。
【００３７】
遷移期間においては、ランプ電流は図１（ｄ）に示すように、急峻な変化をするが、この間にはＤＣ−ＤＣコンバータ１６におけるスイッチング周波数は、メインマイコン１７６によってＦｂ（＞Ｆａ）とされる。Ｆｂは、例えば１５０ｋＨｚとすることができ、この場合には遷移期間が２００μｓよりも短い場合でも、これよりも短い期間内で連続的にランプ駆動電流（電圧）をオーバーシュートやアンダーシュートを生ぜずに制御することができる。従って、図１（ｄ）に示す特性を忠実に実現することができる。この期間においてはスイッチング周波数が高くなるため、ＤＣ−ＤＣコンバータ１６の消費電力は大きくなる。しかしながら、この遷移期間は前記の通り、ロッドレンズの大きさに応じて決まり、カラーホイールの回転角度に対応させた場合、１２°程度と小さい。従って、遷移期間が全体に占める割合は６．７％程度に過ぎない。従って、全体として、これによる消費電力の増加は７．７％以下に抑制される。
【００３８】
なお、遷移期間以外でも前記の通りにＩＬは制御手段１７により制御され、一定になるとは限らないが、その制御速度は遷移期間ほど高い必要はない。従って、遷移期間以外の期間におけるＩＬの制御には支障がない。
【００３９】
水銀ランプの形状によっては、ＤＣ−ＤＣコンバータ１６のスイッチング周波数が高い場合には共鳴によってランプフリッカー、すなわち、ランプからの光のちらつきが発生することが知られている。しかしながら、上記のプロジェクタにおいては、スイッチング周波数が高くなるのは遷移期間だけであり、短期間である。さらに、この期間内での光をＤＭＤ１３２でＯＦＦすれば、この期間内の光は画像信号の作成には用いられない。従って、ランプフリッカーは発生せず、良好なカラー画像が得られる。
【００４０】
なお、上記の例では、カラーホイールは青、赤、緑、白の４色からなる構成としたが、これに限られるものではない。例えば、これに黄色を加えた５色からなる構成としてもよく、逆に４色よりも少ない構成としてもよい。また、白色セグメントの際にランプ発光強度を高める構成としたが、これに限られるものではなく、どのセグメントの発光強度を高める場合にも同様に本発明を適用できる。少なくとも１種の色セグメントにおいて光源の発光強度を高める構成の場合には、同様に本発明を適用できる。また、上記の例とは逆に、特定のセグメントで発光強度を低くする場合においても本発明を適用できる。
【００４１】
また、上記の例では、光源として水銀ランプを用いた場合につき記載したが、これに限られるものではなく、単一の光源から発した光を複数種類のカラーフィルタに順次透過させて各色の画像信号を生成する場合には同様に本発明を適用できる。また、カラーホイールを用いる以外の方法で各色の画像信号を作成する場合についても同様である。
【図面の簡単な説明】
【００４２】
【図１】本発明の実施の形態となるプロジェクタにおける色セグメントの推移（ａ）、光源の発光強度（ｂ）、スイッチング周波数（ｃ）、光源の駆動電流（ｄ）の関係を示す図である。
【図２】本発明の実施の形態となるプロジェクタの構成を示す図である。
【図３】本発明の実施の形態となるプロジェクタにおけるバラスト回路の構成を示す図である。
【図４】プロジェクタに用いられるカラーホイールの構成を示す図である。
【図５】従来のプロジェクタにおける色セグメントの推移（ａ）、光源の発光強度（ｂ）（ｃ）の関係を示す図である。
【符号の説明】
【００４３】
１  プロジェクタ
１１  光源
１２  色セグメント切替手段
１３  画像信号作成手段
１４  投影レンズ
１５  スクリーン
１６  ＤＣ−ＤＣコンバータ
１７  制御手段
１８  位相検出手段
３１  バラスト入力電源
９０、１２１  カラーホイール
９１  青色フィルター
９２  赤色フィルター
９３  緑色フィルター
９４  白色フィルター
９５、１３１  ロッドレンズ
１０１  青色セグメント
１０２  赤色セグメント
１０３  緑色セグメント
１０４  白色セグメント
１２２  カラーホイール回転検出センサ
１３２  ＤＭＤ
１３３  光学素子駆動装置
１７１  ランプ電圧検出回路
１７２  ＡＤコンバータ
１７３  定電力制御信号計算回路
１７４  ＤＡコンバータ
１７５  ランプパルス発生装置
１７６  メインマイコン
１７７  ＤＣ−ＤＣコンバータ制御回路
１７８  ランプ電流検出抵抗
１７９  アンプ回路
１８０  コンパレータ
【図１】
2009031333.tif 000003
【図２】
2009031333.tif 000004
【図３】
2009031333.tif 000005
【図４】
2009031333.tif 000006
【図５】
2009031333.tif 000007